(57)【要約】  本発明はある場所の境界や建築物の出入口を開閉自在に設けられる扉に関する。構成において、下記の如き特徴を有する。前記扉１の室内側板１ａと室外側板１ｂとの間に設けるが、室内側板１ａの上端に開放される第１の流路１２と室外側板１ｂの下端に開放される第２の流路１４が第１の連結管部１６により連通するように設けられる第１の換気部１０と、前記第１の換気部１０の側端に断熱部材Ａを境界に分割されて相対するように設けられ、室外側板１ｂの上端に開放される第３の流路２２と室内側板１ａの下端に形成される第４の流路２４が第２の連結管部２６により連通される第２の換気部２０と、前記第１及び第４の流路１２、２４にリブバー３０ａを介して取り付けられ、且つ、多数の第１の通孔３２が形成され、内面に一端がヒンジＨにより蝶合されて調節レバー３４ａにより開閉される遮断板３４が設けられる空気調節部材３０、３０’と、前記第２及び第３の流路１４、２２に固定バー４１を介して設けられ、且つ、多数の第２の通孔４２がフィルター４４と共に設けられるグリル４０と、を備えてなることを特徴とする。  これにより、ある場所の境界や建築物の入口または人間が出入りする個所に開閉自在に設けられる玄関扉、部屋扉などの扉上に室外側に連通するように換気流路を形成して対流現象による循環方式により室内空気を換気することにより、冷・暖房による省エネと共に遮音・水密機能を行って、常に快適な室内環境を提供する効果がある。【選択図】図１
2009523202.tif 000002
【特許請求の範囲】
【請求項１】
ある場所の境界や建築物の出入口を開閉自在に設けられる換気扉であって、
前記扉１の室内側板（１ａ）と室外側板（１ｂ）との間に設けるが、室内側板１ａの上端に開放される第１の流路（１２）と室外側板（１ｂ）の下端に開放される第２の流路（１４）が第１の連結管部（１６）により連通するように設けられる第１の換気部（１０）と、
前記第１の換気部（１０）の側端に断熱部材（Ａ）を境界に分割されて相対するように設けられ、前記室外側板（１ｂ）の上端に開放される第３の流路（２２）と前記室内側板（１ａ）の下端に形成される第４の流路（２４）が第２の連結管部（２６）により連通される第２の換気部（２０）と、
前記第１及び第４の流路（１２、２４）にリブバー（３０ａ）を介して取り付けられ、且つ、多数の第１の通孔（３２）が形成され、内面に一端がヒンジ（Ｈ）により蝶合されて調節レバー（３４ａ）により開閉される遮断板（３４）が設けられる空気調節部材（３０、３０’）と、
前記第２及び第３の流路（１４、２２）に固定バー（４１）を介して設けられ、且つ、多数の第２の通孔（４２）がフィルター（４４）と共に設けられるグリル（４０）と、
を備えてなることを特徴とする換気扉。
【請求項２】
前記第１及び第２の換気部１０、２０の第１及び第４の流路１２、２４及び第２及び第３の流路１４、２２が放熱板５０を境界に連通され、前記放熱板５０の内部に加熱部材５２が一体または分割されて設けられることを特徴とする請求項１に記載の換気扉。
【発明の詳細な説明】
【技術分野】
【０００１】
本発明は換気扉に係り、さらに詳しくは、ある場所の境界や建築物の入口または人間が出入りする個所に開閉自在に設けられる玄関扉、部屋扉などの扉上に室外側に連通するように換気流路を形成して対流現象による循環方式により室内空気を換気することにより、冷・暖房による省エネと共に遮音・水密機能を行って、常に快適な室内環境を提供する換気扉に関する。
【背景技術】
【０００２】
通常、玄関扉、部屋扉などの扉は、通常、ある場所と他の場所を結び付ける接点に位置して垣・壁などの境界要素と共に出入口を開閉するように設けられる。そして、近年には、建築技術及び建築副資材の性能向上により窓扉はもとより、扉の気密性が抜群であって室外空気の流入はもちろん、室内空気の流出が緊密に断続されて冷・暖房効率には優れているが、換気不足によりバルコニーの床と壁体、窓ガラスなどにカビの繁殖を招いて衛生環境を脅かしたり室内に各種のガス、ほこり、煙、悪臭、細菌などが常に共存するため、呼吸器疾患を引き起こす原因となる。
【０００３】
これにより、この出願人は、大韓民国特許出願番号第１０−２００４−４４８４号（名称：換気ユニット）、大韓民国実用新案登録番号第３６２４０７号（名称：換気ユニット）においてバルコニーの外気またはリビングルーム及び玄関扉などの窓戸の一方の側に取り付けられて自然対流による持続的な換気機能を行うに当たって、外部から流入される風の風速にはよらずに、内部に循環される空気量が常に一定に調節可能であり、また、自然対流方式により空気の循環がなされることから、冷・暖房による省エネ性が極大化されると共に、遮音・水密機能を行って、常に快適な室内環境を提供する換気ユニットの技術を既に出願している。
【０００４】
しかしながら、換気ユニットがその特性から単一の独立した装置であって、窓扉またはベランダーの一方の側、玄関扉のフィックス窓が設けられた位置に設けられなければならないため、一般マンションの玄関扉などのフィックス窓が形成されていない限られた区域の場合、換気ユニットの設置が事実上困難であるのが現状である。
【特許文献１】大韓民国特許出願番号第１０−２００４−４４８４号
【特許文献２】大韓民国実用新案登録番号第３６２４０７号
【発明の開示】
【発明が解決しようとする課題】
【０００５】
これにより、本発明は、上記した短所を解消するためのものであって、ある場所の境界や建築物の入口または人間が出入りする個所に開閉自在に設けられる玄関扉、部屋扉などの扉上に室外側に連通するように換気流路を形成して対流現象による循環方式により室内空気を換気することにより、冷・暖房による省エネと共に遮音・水密機能を行って、常に快適な室内環境を提供する換気扉を提供することをその目的とする。
【課題を解決するための手段】
【０００６】
上記の目的を達成するために、本発明は、ある場所の境界や建築物の出入口を開閉自在に設けられる扉において、前記扉１の室内側板１ａと室外側板１ｂとの間に設けるが、室内側板１ａの上端に開放される第１の流路１２と室外側板１ｂの下端に開放される第２の流路１４が第１の連結管部１６により連通するように設けられる第１の換気部１０と、前記第１の換気部１０の側端に断熱部材Ａを境界に分割されて相対するように設けられ、室外側板１ｂの上端に開放される第３の流路２２と室内側板１ａの下端に形成される第４の流路２４が第２の連結管部２６により連通される第２の換気部２０と、前記第１及び第４の流路１２、２４にリブバー３０ａを介して取り付けられ、且つ、多数の第１の通孔３２が形成され、内面に一端がヒンジＨにより蝶合されて調節レバー３４ａにより開閉される遮断板３４が設けられる空気調節部材３０、３０’と、前記第２及び第３の流路１４、２２に固定バー４１を介して設けられ、且つ、多数の第２の通孔４２がフィルター４４と共に設けられるグリル４０と、を備えてなることを特徴とする換気扉を提供する。
本発明による一実施例として、第１及び第２の換気部１０、２０の第１及び第４の流路１２、２４及び第２及び第３の流路１４、２２が放熱板５０を境界に連通され、放熱板５０の内部に加熱部材５２が一体または分割されて設けられることを特徴とする。
【発明の効果】
【０００７】
本発明の構成及び作用によれば、ある場所の境界や建築物の入口または人間が出入りする個所に開閉自在に設けられる玄関扉、部屋扉などの扉上に室外側に連通するように換気流路を形成して対流現象による循環方式により室内空気を換気することにより、冷・暖房による省エネと共に遮音・水密機能を行って、常に快適な室内環境を提供する効果がある。
【発明を実施するための最良の形態】
【０００８】
以下、添付図面に基づき、本発明による好適な実施形態を詳述する。
【０００９】
図１は、本発明による換気扉を多段に切り取って示す斜視図であり、図２は、本発明による換気扉の内側板材を示す正面図であり、図３は、図２におけるＡ−Ａ’線を切り取って示す換気扉の内部構成図であり、図４は、図２におけるＢ−Ｂ’線を切り取って示す換気扉の内部構成図であり、図５は、図２におけるＣ−Ｃ’線を切り取って示す換気扉の内部構成図である。
【００１０】
本発明はある場所の境界や建築物の出入口を開閉自在に設けられて室内・外空気を換気する扉に関するものであり、このとき、扉１は、内側板材１ａと外側板材１ｂとから構成するが、内側板材１ａと外側板材１ｂとの間にウレタン、ガラスウール、ポリエステルなどの断熱部材Ａを充填して製作され、ヒンジを介して扉枠２上に設けられて出入口を開閉すると共に、室内空気の気温差による換気構造を有する。このために、本発明の換気扉は、第１の換気部１０、第２の換気部２０、空気調節部材３０、３０’、グリル４０などを備えてなることを特徴とする。
【００１１】
本発明による第１の換気部１０は、扉１の室内側板１ａと室外側板１ｂとの間に設けるが、室内側板１ａの上端に開放される第１の流路１２と室外側板１ｂ下端に開放される第２の流路１４が第１の連結管部１６により連通するように設けられる。第１の換気部１０は扉１の室内側板１ａの上端に室内部に連通するように長手方向に開放される第１の流路１２と、室外側板１ｂの下端に室外部に開放されるように切開される第２の流路１４が第１の連結管部１６により連通される。第１の連結管部１６は第１及び第２の流路１２、１４の間、すなわち、第１の流路１２の下部から第２の流路１４の上部に延びて室内・外部の空気が循環される換気流路が形成される。
【００１２】
このため、前記第１の換気部１０は室内部に残留して汚れたり濁った室内の暖かい空気は対流現象により上昇して室内空気層の上層をなし、この上層空気は扉１の上端に形成された第１の流路１２内において徐々に温度が低下して第１の連結管部１６と室外側板１ｂの第２の流路１４を介して室外部に徐々に排出される。
【００１３】
そして、前記第１の換気部１０の第１の流路１２に後述する空気調節部材３０が設けられて循環空気の移送が調節され、第２の流路１４に後述するグリル４０が取り付けられてほこりなどの不純物の浸透を防ぐが、これについての詳細な説明は後述する内容を参照する。
【００１４】
また、本発明による第２の換気部２０は、第１の換気部１０の側端に断熱部材Ａを境界に分割されて互いに対向するように設けられ、室外側板１ｂの上端に開放される第３の流路２２と室内側板１ａの下端に形成される第４の流路２４が第２の連結管部２６により連通される。第２の換気部２０は室外空気を室内部に流入する換気流路であって、断熱部材Ａを境界に前記第１の換気部１０と逆方向に形成される。すなわち、扉１の室外側板１ｂの上端において室外部に開放される第３の流路２２と、室内側板１ａの下端において室内部に開放されるように切開される第４の流路２４が第２の連結管部２６により連通される。第２の連通管部２６は上端が第３の流路２２の下端に接続され、下端が第４の流路２４の上端に接続されて扉１の室外側板１ｂの上部において室内側板１ａの下部に連通される換気流路を形成する。
【００１５】
このため、前記第２の換気部２０の第３の流路２２を介して室外空気が流入されて第２の連結管部２６と第４の流路２４を介して室内部に徐々に供給されるに伴い、室内の気温差が大きな夏場や冬場の室内・外空気の瞬時な流入や排出による急激な室内温度の変化が防がれる。
【００１６】
そして、前記第２の換気部２０は断熱部材Ａにより前記第１の換気部１０と分割された別途の独立した流路を形成するが、ここで、断熱部材Ａはウレタン、ガラスウール、ポリエステルなどの断熱性能に優れた素材を用い、図１に示すように、相対する第１及び第２の流路１２、１４と第３及び第４の流路２２、２４との間はもちろん、第１の連結管部１６と第２の連結管部２６との間に充填される。そこで、第１及び第２の換気部１０、２０が断熱部材Ａにより互いに熱伝達が遮断されるに伴い、第１及び第２の流路１２、１４と第３及び第４の流路２２、２４を介して室内・外空気が循環される途中に互いに熱伝達されないため、自然対流現象がより緊密に行われる。
【００１７】
一方、前記第３及び第４の流路２２、２４には、上述したように、第１の換気部１０の第１及び第２の流路１２、１４と同様に、空気調節部材３０’とグリル４０が設けられて循環空気の移送量が制御されると共に、不純物の浸透が防がれるが、これについての詳細な説明は後述する内容を参照する。
【００１８】
また、本発明による空気調節部材３０、３０’は、第１及び第４の流路１２、２４にリブバー３０ａを介して取り付けられながら、多数の第１の通孔３２が形成され、内面に一端がヒンジＨにより蝶合されて調節レバー３４ａにより開閉される遮断板３４が設けられる。空気調節部材３０、３０’は室内側板１ａに開放される第１及び第２の換気部１０、２０の第１の流路１２と第４の流路２４に設けられて空気の移送量を調節するが、ここで、空気調節部材３０、３０’は空気が移送される多数の第１の通孔３２が一定の間隔にて貫通しながら内面に突出されるリブバー３０ａを介して第１及び第４の流路１２、２４に締め付けられ、遮断板３４により第１の通孔３２が開閉される。遮断板３４は空気調節部材３０、３０’の内面に一端がヒンジＨにより回動自在に締め付けられ、他端に調節レバー３４ａがリンク結合されて上下作動によりヒンジＨを軸として遮断板３４が開閉される。
【００１９】
そこで、前記空気調節部材３０、３０’の遮断板３４により第１及び第４の流路１２、２４を介しての室内・外空気の移送量が調節されると共に、図２に示すように、空気調節部材３０、３０’が個別的に制御されるように区分されて第１及び第４の流路１２、２４を介しての第１及び第２の換気部１０、２０の空気移送量が独立して制御されるので、ユーザーが任意に空気調節部材３０、３０’を制御して常に快適な室内環境を造成することができるという利点がある。
【００２０】
また、本発明によるグリル４０は、第２及び第３の流路１４、２２に固定バー４１を介して設けられ、且つ、多数の第２の通孔４２がフィルター４４と一緒に設けられる。グリル４０は板状に形成されて多数の第２の通孔４２が一定の間隔にて貫通され、固定バー４１により外側板材１ｂの第２及び第３の流路１４、２２上に設けられる。固定バー４１はグリル４０の両端部を局部的に受け入れた状態で、第２及び第３の流路１４、２２の両端に長手方向に設けるが、このとき、固定バー４１は、ピース、固定クリップ、接着剤などの締付手段（図示せず）により固定されるが、周期的にグリル４０を脱去して洗浄するためには、ピース及び固定クリップなどの脱着し易い締付手段を用いて固定することが好ましい。
【００２１】
そして、前記グリル４０の第２の通孔４２にはフィルター４４が設けられるが、ここで、フィルター４４は編網や抗菌フィルターなどにより製作されて第２の通孔４２が仕上げられる。このため、第１及び第２の換気部１０、２０の第２及び第３の流路１４、２２を介して室内部に流入される空気がフィルター４４を介してフィルターリングされるので、土、砂、ほこり、害虫などの異物が除去された清涼な空気が供給される。
【００２２】
作動上において、先ず、扉１を閉じた状態で、空気調節部材３０、３０’を開放すると、室内部に長時間残留しながら対流現象により室内空気の上層をなす上層空気、例えば、汚れたり濁った空気は扉１の上端に形成された第１の換気部の第１の流路１２に投入されて温度が低下しながら、第１の連結管部１６と室外側板１ｂの第２の流路１４を介して室外部に徐々に排出されると共に、第２の換気部２０の第３の流路２２及び第２の連結管部２６と第４の流路２４を介して室外空気が室内部に徐々に流入しながら室内部の空気が自然対流現象により換気される。
【００２３】
また、上述したように、第１の換気部１０は室内空気を室外部に排出し、第２の換気部２０は室外空気を室内部に流入する役割を果たすが、これに限定されることなく、室内・外部の気温差または風圧などのように気象環境の変化に伴い第１の換気部１０を介して室外空気が流入したり第２の換気部２０を介して室内空気が排出され、また、第１及び第２の換気部１０、２０を介して室内・外空気の流入または排出が同時になされることもある。
【００２４】
このように、前記扉１に一体に形成された第１及び第２の換気部１０、２０を介して自然対流現象により室内・外部空気が徐々に循環しながら室内空気が換気するに伴い、室内部が常に快適に維持されると共に、室内・外部の気温差が大きな夏場や冬場には瞬時な室内・外空気の流入や排出による急激な室内温度の変化が防がれるので、冷・暖房効率が向上する効果がある。
【００２５】
図６は、本発明の一実施形態による換気扉を多段に切り取って示す斜視図であり、図７は、本発明による換気扉の内側板材を示す正面図であり、図８は、図６におけるＤ−Ｄ’線を切り取って示す換気扉の内部構成図であり、図９は、図６におけるＥ−Ｅ’線を切り取って示す換気扉の内部構成図であり、図１０は、図６におけるＦ−Ｆ’線を切り取って示す換気扉の内部構成図である。
【００２６】
本発明の一実施形態として、前記第１及び第２の換気部１０、２０の第１及び第４の流路１２、２４及び第２及び第３の流路１４、２２が放熱板５０を境界に連通され、放熱板５０の内部に加熱部材５２が一体または分割されて設けられる。図６に示すように、扉１の内側板材１ａに上・下端に形成される第１及び第２の換気部１０、２０の第１及び第４の流路１２、２４が空気調節部材３０、３０’の後方において一体に連通されることはもとより、外側板材１ｂの上・下端に形成される第３及び第２の流路２２、１４がグリル４０の後方において一体に連通されるが、このとき、互いに連通される第１及び第４の流路１２、２４及び第２及び第３の流路１４、２２が放熱板５０を境界に分割され、放熱板５０の内部に加熱部材５２が設けられる。
【００２７】
このとき、前記加熱部材５２は電圧を加えると加熱される加熱コイルないし加熱フィルムなどを一体または２分割して設けるが、加熱部材５２の上部または下部が独立して制御されるようにスイッチＳが設けられる。そして、加熱部材５２の設けられた放熱板５０は故障によるメンテナンスが容易になるように、図９に示すように、空気調節部材３０、３０’のリブバー３０ａ上にボルト締めされて空気調節部材３０、３０’と一緒に簡単に脱着自在に取り付けられることが好ましい。
【００２８】
なお、上述したように、互いに連通される第１及び第４の流路１２、２４及び第２及び第３の流路１４、２２が放熱板を境界に分割されて室内部に流入される空気を加熱すると同時に、対流現象を誘導する換気構造を有する第１及び第２の換気部１０、２０の場合、第１及び第４の流路１２、２４上において空気の対流現象が円滑に行われるようにグリル３０、３０’の遮断板３４’が、図７から図９に示すように、グリル３０、３０’の両端に形成された収容溝３０ｂに挿入されて上下スライド方式により開閉されるように設けられることが好ましい。
【００２９】
作動上において、暖房による室内・外部の気温差が激しい冬場には室外部の空気が流入される第２の換気部２０の第４の流路２４上に加熱部材５２を作動して冷たい空気を加熱して室内部に流入する。そして、室内・外部の気温差があまり激しくなくて、自然対流現象による空気の循環が僅かな春場、秋場には上下部に分割された加熱部材５２を同時に作動して第１及び第２の換気部１０、２０を介して室内部に流入される空気をいずれも加熱したり、分割された上・下部加熱部材５２のうちどちらか一方を選択的に作動して自然対流による室内・外部空気の循環を誘導する。
【００３０】
これを詳述すると、例えば、室内部の上下空気層に温度差が大きくなくて自然対流がなされない春場・秋場に下部加熱部材５２だけを局部的に作動すると、室内空気が第４の流路２４上において加熱されて第１の流路１２上に上昇され、次いで、第１の流路１２上に達した内部空気は再び気温が低下して第１の換気部１０を介して室外部に排出されるので、対流による換気がなされる。
【産業上の利用可能性】
【００３１】
本発明は記載された実施形態に限定されるものではなく、本発明の思想及び範囲から逸脱することなく種々に修正及び変形可能であることは当業者にとって自明であり、よって、このような変形例または修正例は本発明の特許請求の範囲に属するものであると言えるであろう。
【図面の簡単な説明】
【００３２】
【図１】本発明による換気扉を多段に切り取って示す斜視図。
【図２】本発明による換気扉の内側板材を示す正面図。
【図３】図２におけるＡ−Ａ’線を切り取って示す換気扉の内部構成図。
【図４】図２におけるＢ−Ｂ’線を切り取って示す換気扉の内部構成図。
【図５】図２におけるＣ−Ｃ’線を切り取って示す換気扉の内部構成図。
【図６】本発明の一実施形態による換気扉を多段に切り取って示す斜視図。
【図７】本発明による換気扉の内側板材を示す正面図。
【図８】図６におけるＤ−Ｄ’線を切り取って示す換気扉の内部構成図。
【図９】図６におけるＥ−Ｅ’線を切り取って示す換気扉の内部構成図。
【図１０】図６におけるＦ−Ｆ’線を切り取って示す換気扉の内部構成図。
【符号の説明】
【００３３】
１０：第１の換気部
１２：第１の流路
１４：第２の流路
１６：第１の連結管部
２０：第２の換気部
２２：第３の流路
２４：第４の流路
２６：第２の連結管部
３０、３０’：空気調節部材
３２：第１の通孔
３４：遮断板
４０：グリル
４１：固定バー
４２：第２の通孔
４４：フィルター
５０：放熱板
５２：加熱部材
【図１】
2009523202.tif 000003
【図２】
2009523202.tif 000004
【図３】
2009523202.tif 000005
【図４】
2009523202.tif 000006
【図５】
2009523202.tif 000007
【図６】
2009523202.tif 000008
【図７】
2009523202.tif 000009
【図８】
2009523202.tif 000010
【図９】
2009523202.tif 000011
【図１０】
2009523202.tif 000012
【国際調査報告】
2009523202.tif 000013
2009523202.tif 000014